(57)【要約】【課題】薄型、高コントラストかつプライバシーを保てる自発光型表示素子を用いた両面ディスプレイを生産する技術を提供する。【解決手段】自発光型表示素子を挟むように、第一の偏光層と第二の偏光層を設け、第一の偏光層と第二の偏光層の透過軸が互いに直交するように設定した。【選択図】　　図１０
2004095340.tif 000002
【特許請求の範囲】
【請求項１】
自発光素子と、前記自発光素子を挟むように設けられた第一の偏光層及び第二の偏光層と、を備えるとともに、前記第一の偏光層と前記第二の偏光層の透過軸が互いに直交することを特徴とする自発光型表示装置。
【請求項２】
自発光素子と、
前記自発光素子を挟むように設けられた第一の偏光層及び第二の偏光層と、
前記自発光素子と前記第一の偏光層との間に設けられた第一の光学位相差層（リタデーション：Δｎ１ｄ１　、Δｎ：光学異方性、ｄ：厚さ）と、
前記自発光素子と前記第二の偏光層との間に設けられた第二の光学位相差層（リタデーション：Δｎ２ｄ２）と、を備えるとともに、
前記第一の偏光層と前記第二の偏光層の透過軸は平行で、
前記第一の光学位相差層（Δｎ１ｄ１）と第二の光学位相差層（Δｎ２ｄ２）の光学異方性の遅相軸は平行で、かつ、前記遅相軸と第一の偏光層の透過軸とのなす角度が外光を遮光するように設定され、
４００ｎｍ〜７００ｎｍの波長λの光に対してΔｎ１ｄ１及びΔｎ２ｄ２の値が、
Δｎ１ｄ１／λ＝０．２５＋ｍ／２±０．０５（ｍ＝０、１、２、・・・）
Δｎ２ｄ２／λ＝０．２５＋ｍ／２±０．０５（ｍ＝０、１、２、・・・）
を満たすことを特徴とする自発光型表示装置。
【請求項３】
前記光学位相補償層に高分子延伸フィルムまたは高分子液晶層を用いることを特徴とする請求項２に記載の自発光型表示装置。
【請求項４】
前記自発光素子の発光領域の少なくとも一部を隠蔽する表示部開閉機構を有することを特徴とする請求項１から３のいずれか一項に記載の自発光型表示装置。
【請求項５】
自発光型表示装置が折りたたみ可能な構造を有する機器であり、前記表示部開閉機構が、前記機器の折りたたみの開閉に合わせて自動的に開閉する機構を有し、前記機器が折りたたまれた状態の時に前記表示部開閉機構を開き、前記機器が開いた状態の時に前記表示部開閉機構を閉じることを特徴とする請求項４に記載の自発光型表示装置。
【請求項６】
前記表示部開閉機構が、手動にて開閉する機構も備えることを特徴とする請求項５に記載の自発光型表示装置。
【発明の詳細な説明】
【０００１】
【発明の属する技術分野】
本発明は、電圧を印加することにより発光するＥＬ（エレクトロルミネッセント）素子等の自発光型の発光素子を用いた表示装置に関する。
【０００２】
【従来の技術】
ＥＬ素子は比較的低電圧で発光し、また製造が簡単なことから、将来性が期待されている発光素子である。実用上問題があるとされてきた素子寿命に関しても実用レベルに達し、車載用オーディオ用や携帯電話用に採用されはじめている。
【０００３】
従来のＥＬ素子の構成を図６に示す。図示するように、このＥＬ素子は、ガラス等の基板１上に、順次、インジウム錫オキサイド（ＩＴＯ）等からなる透明電極３１、正孔輸送層３２、発光層３３、アルミニウム等からなる電極３４が積層されている。ここで、透明電極３１、正孔輸送層３２、発光層３３、電極３４によりＥＬ素子部１１を構成している。このようなＥＬ素子においては、透明電極３１を陽極、電極３４を陰極として用い、陽極と陰極からそれぞれ注入した正孔と電子とが発光層３３内で再結合し、ＥＬ光２１１を放射する。そのＥＬ光２１１が基板１を透過してＥＬ素子外に放射するようになっている。
【０００４】
図６で示したＥＬ素子の構成以外にも、例えば、（１）陽極／発光層／陰極、（２）陽極／正孔輸送層／発光層／電子輸送層／陰極、（３）陽極／発光層／電子輸送層／陰極、（４）陽極／正孔注入層／正孔輸送層／発光層／陰極、等の各種構造のものがある。
【０００５】
また、他のＥＬ素子の従来構成を図７に示す。図示するように、ＥＬ素子は、基板１上にＩＴＯ等からなる透明電極３１、正孔輸送層３２、発光層３３、アルミニウム等からなる電極３５が積層されている。ここで、透明電極３１、正孔輸送層３２、発光層３３、電極３５によりＥＬ素子部１２を構成している。このようなＥＬ素子においては、透明電極３１を陽極、電極３５を陰極として用い、陽極と陰極からそれぞれ注入した正孔と電子とが発光層３３内で再結合し、ＥＬ光２１３を放射する。この際、電極３５の膜厚を充分薄くすることにより（例えば２０ｎｍ以下）、ＥＬ光２１２が電極３５を透過してＥＬ素子外部に放射するようになっている。
【０００６】
また、従来のＥＬ素子の他の構成例を図８に示す。このＥＬ素子は、基板１上にＩＴＯ等からなる透明電極３１、正孔輸送層３２、発光層３３、電子輸送層３６、ＩＴＯ等からなる電極３７が積層されている。このような構成のＥＬ素子は山形大学の城戸らによって提案されている。ここでは、透明電極３１を陽極、電極３７を陰極として用い、陽極と陰極からそれぞれ注入した正孔と電子とが発光層３３内で再結合し、図示したＥＬ光２１４とＥＬ光２１５を放射する。そのＥＬ光２１５が基板１を透過して有機ＥＬ素子外に放射され、ＥＬ光２１４が電極３７を透過してＥＬ素子外に放射されるようになっている。
【０００７】
図７及び図８のようなＥＬ素子は電圧無印加状態では透明であり、電圧印加時には、ＥＬ光を発光する。このような透明な背景に発光を浮き出させるディスプレイはシースルーディスプレイと称され車載用途などが提案されている。
【０００８】
図４は、図６で示したＥＬ素子を背面ディスプレイ付き折りたたみ式携帯電話のディスプレイに応用した両面表示ディスプレイの一例であり、基板１上にＥＬ素子部２を形成し、外気と遮断する封止構造３を有する二個のＥＬ素子を封止構造３の面を合わせて積層した構造となっている。電圧印加により、それぞれＥＬ光２１１を放射する。このような構造はＥＬ素子二個分の厚みを有するため、薄型を要求される携帯電話用途のディスプレイとしては限界があった。
【０００９】
図５は、図７で示したＥＬ素子を背面ディスプレイ付き折りたたみ式携帯電話の両面表示ディスプレイに応用を試みた他の例であり、基板１上にＥＬ素子部１２を形成し、外気と遮断する封止構造３を有する。駆動回路のプログラムの切り換えによりＥＬ光２１２とＥＬ光２１３の両面で表示を視認できる。しかしながら、このような構成の両面表示ディスプレイには以下のような課題があった。図１１を用いてこれを説明する。図１１で示したＥＬセル１０は図７や図８のような両面発光するＥＬ素子構成になっていて、電圧印加により発光部１０１よりＥＬ光１２１、ＥＬ光１２３を放射し、観測者２００はＥＬ光１２１の表示を視認する。また、外光１３０と外光１３２はＥＬセル１０を透過して透過光１３１と透過光１３３となる。更に、外光１３０の一部はＥＬセル１０の基板表面と内部で数％反射し、反射光１３４となる。したがって、観測者２００はＥＬ光１２１を視認すると共に透過光１３３と反射光１３４も視認することになるため、コントラストが低下するという課題があった。また、ＥＬ光１２３は観測者２００と反対側に放射されるため、例えばＥＬセル１０を折りたたみ式携帯電話に応用した場合には他人にＥＬ光１３２を見られる危険があった。
【００１０】
【発明が解決しようとする課題】
上述のように、両面から観察できる表示装置を自発光型の表示素子で構成する場合に、コントラストが低下するという課題がある。本発明は、上記事情に鑑みなされたもので、その目的とするところは薄型、高コントラストかつプライバシーを保てるＥＬ両面ディスプレイを生産する技術を提供することにある。
【００１１】
【課題を解決するための手段】
上記課題を解決するために、本発明の自発光型表示装置は以下のような構成とした。すなわち、本発明の自発光型表示装置は、自発光素子と、自発光素子を挟むように設けられた第一の偏光層及び第二の偏光層と、を備えるとともに、第一の偏光層と第二の偏光層の透過軸が互いに直交することとした。
【００１２】
また、本発明の自発光型表示装置は、自発光素子と、自発光素子を挟むように設けられた第一の偏光層及び第二の偏光層と、自発光素子と第一の偏光層との間に設けられた第一の光学位相差層（リタデーション：Δｎ１ｄ１）と、自発光素子と第二の偏光層との間に設けられた第二の光学位相差層（リタデーション：Δｎ２ｄ２）と、を備えるとともに、第一の偏光層と第二の偏光層の透過軸は平行で、第一の光学位相差層（Δｎ１ｄ１）と第二の光学位相差層（Δｎ２ｄ２）の光学異方性の遅相軸は平行で、かつ、遅相軸と第一の偏光層の透過軸とのなす角度が外光を遮光するように設定され、４００ｎｍ〜７００ｎｍの波長λの光に対してΔｎ１ｄ１及びΔｎ２ｄ２の値が、
Δｎ１ｄ１／λ＝０．２５＋ｍ／２±０．０５（ｍ＝０、１、２、・・・）
Δｎ２ｄ２／λ＝０．２５＋ｍ／２±０．０５（ｍ＝０、１、２、・・・）
を満たすこととした。
【００１３】
このような構成により、薄型、高コントラストの両面ディスプレイを実現できる。
【００１４】
さらに、自発光素子の発光領域の少なくとも一部を隠蔽する表示部開閉機構を設けた。さらに、自発光型表示装置を折りたたみ可能な構造の機器とし、表示部開閉機構が、機器の折りたたみの開閉に合わせて自動的に開閉し、機器が折りたたまれた状態の時に表示部開閉機構を開き、機器が開いた状態の時に表示部開閉機構を閉じることとする。このような構成により、機密を保護できる折りたたみ式の自発光型表示装置が実現できる。
【００１５】
【発明の実施の形態】
以下、本発明の自発光型表示装置を説明する。
【００１６】
ＥＬ装置等の自発光型表示素子を挟むように、自発光型表示素子の両側に、互いの透過軸が直交するように偏光層が設けられている。
【００１７】
このような構成の自発光型表示装置の表示原理を以下に説明する。自発光型表示素子の両側に第一の偏光層と第二の偏光層が配置されている。第一の偏光層５の透過軸Ｌ６と第二の偏光層の透過軸Ｌ７とは直交している。ここで、自発光型表示素子は両側方向（第一の偏光層側方向と第二の偏光層側方向）に光を発光する。すなわち、自発光型表示素子で発光した光は透過軸Ｌ６を有する第二の偏光層を透過し、偏光された光として観測者が視認する。一方、透過軸Ｌ７を有する第一の偏光層を透過した偏光光は外部に放射される。また、第一の偏光層から入射した外光は第一の偏光層を通過することで直線偏光となり、さらに自発光型表示素子を透過して第二の偏光層で吸収される。一方、第二の偏光層から入射した外光は第二の偏光層を通過することで直線偏光となり、さらに自発光型表示素子を透過して第一の偏光層で吸収される。したがって、第二の偏光層側の観測者は黒背景に偏光光（第二の偏光層を透過して偏光された光）を観測するため、コントラストが高い表示を視認できる。また、観測者が第一の偏光層側から第一の偏光層を透過して偏光された光を観測する場合も同様の効果が得られる。
【００１８】
また、本発明の自発光型表示装置は、自発光素子を挟むように設けられた第一の偏光層及び第二の偏光層と、自発光素子と第一の偏光層との間に設けられた第一の光学位相差層（リタデーション：Δｎ１ｄ１）と、自発光素子と第二の偏光層との間に設けられた第二の光学位相差層（リタデーション：Δｎ２ｄ２）と、を備えている。ここで、Δｎは光学位相差層の光学異方性、ｄは光学位相差層の厚みである。そして、第一の偏光層と第二の偏光層の透過軸は平行であり、第一の光学位相差層（Δｎ１ｄ１）と第二の光学位相差層（Δｎ２ｄ２）の光学異方性の遅相軸は平行で、かつ、この遅相軸と第一の偏光層の透過軸と第一の光学位相差層のなす角度が外光を遮光するように設定され、さらに、４００ｎｍ〜７００ｎｍの波長λの光に対してΔｎ１ｄ１及びΔｎ２ｄ２の値が、以下の式を満たしている。
【００１９】
Δｎ１ｄ１／λ＝０．２５＋ｍ／２±０．０５（ｍ＝０、１、２、・・・）
Δｎ２ｄ２／λ＝０．２５＋ｍ／２±０．０５（ｍ＝０、１、２、・・・）
このような構成の自発光型表示装置の表示原理を以下に説明する。
【００２０】
表裏両面側に発光する自発光素子の両面には第一の偏光層側と第二の偏光層が設けられている。すなわち、自発光素子で発光した光のうち、第二の光学位相差層を透過した光は、第二の偏光層を透過して偏光光として観測者が視認できる。一方、第一の光学位相差層を透過した光は、第一の偏光層を透過して偏光光として表示装置の外部に放射される。また、第二の偏光層側から入射する外光は透過軸Ｌ１を有する第二の偏光層を透過して直線偏光となり、遅相軸Ｌ２を有する第二の光学位相差層を透過する。このとき、例えば右回りの円偏光に変換され、自発光素子を透過する右回りの円偏光と自発光素子の表面や内部電極で反射される左回りの円偏光に分離される。自発光素子を透過した右回りの円偏光は遅相軸Ｌ３を有する第一の光学位相差層を通過して直線偏光になり、透過軸Ｌ４を有する第一の偏光層により吸収される。また、反射された左回りの円偏光は第二の光学位相差層を透過して直線偏光となり、透過軸Ｌ１を有する第二の偏光層に吸収される。ここでは、時計回りの円偏光を右回り、反時計回りの円偏光を左回りと定義する。
【００２１】
また、第一の偏光層側から入射する外光は透過軸Ｌ４を有する第一の偏光層を透過して直線偏光となり、遅相軸Ｌ３を有する第一の光学位相差層を透過する。このとき、例えば左回りの円偏光に変換され、自発光素子を透過する左回りの円偏光と自発光素子の表面や内部電極で反射される右回りの円偏光に分離される。自発光素子を透過した左回りの円偏光は遅相軸Ｌ２を有する第二の光学位相差層を通過して直線偏光になり、透過軸Ｌ１を有する第二の偏光層で吸収される。一方、自発光素子で反射された右回りの円偏光は第一の光学位相差層を通過する。このとき、直線偏光に変換され、透過軸Ｌ４を有する第二の偏光層によって吸収される。
【００２２】
上述のように観測者は黒背景に偏光光のみを視認することになり、極めて高コントラストの自発光型表示装置が得られる。また、観測者が反対側から表示を観測する場合も同様の効果が得られる。
【００２３】
【実施例】
以下、実施例により本発明の有機ＥＬ装置を更に具体的に説明する。
【００２４】
（実施例１）
図１は、本実施例の有機ＥＬ装置を示す概略断面図である。図示するように、基板１の表面には有機ＥＬ素子部１２が形成され、封止構造３で有機ＥＬ素子部１２を封止し、有機ＥＬセル１０が構成されている。次いで、有機ＥＬセルの両端に第一の偏光層４と第二の偏光層５が互いの透過軸が直交するように配置されている。
【００２５】
このような構成の有機ＥＬ装置の表示原理を図１０に基づいて説明する。有機ＥＬセル１０の両側に第一の偏光層４と第二の偏光層５が配置されている。第一の偏光層４の透過軸Ｌ７と第二の偏光層５の透過軸Ｌ６とは直交している。有機ＥＬセル１０の発光部１０１で発光したＥＬ光１２１は透過軸Ｌ６を有する第二の偏光層５を透過し、偏光ＥＬ光２１６として観測者２００が視認する。一方、有機ＥＬセル１０の発光部１０１で発光したＥＬ光１２３は透過軸Ｌ７を有する第一の偏光層５を透過し、偏光ＥＬ光２１７は外部に放射される。また、第一の偏光層４を透過する外光１１０は直線偏光１１１に変換され、有機ＥＬセル１０を透過し直線偏光１１２となり、第二の偏光層５で吸収される。一方、第二の偏光層５を透過する外光９０は直線偏光９１に変換され、有機ＥＬセル１０を透過し直線偏光９２となり、第一の偏光層４で吸収される。したがって、観測者２００は黒背景に偏光ＥＬ光２１６を観測するため、コントラストが高い表示を視認できる。また、観測者が反対側から偏光ＥＬ光２１７を観測する場合も同様の効果が得られる。
【００２６】
ここで、基板１は、耐熱性、耐薬品性、透明性等から、ガラス製平板が好ましい。本実施例では厚さ０．７ｍｍの無アルカリ研磨ガラスを用いた。また、偏光層４と偏光層５には偏光板を用い、封止構造３にはガラス製平板を用い、ＡｒガスとＢａＯからなる吸湿材を封入してＵＶ硬化性の樹脂で外周をシールし有機ＥＬセル１０を構成した。有機ＥＬ素子部１２は水分により寿命が低下することが既に知られており、上述した構成の他にＣＶＤ等の真空成膜によりＳｉＮｘＯｙ等の無機保護層を形成する封止方法、印刷等により有機保護層を形成する封止方法等を用いて、封止基板を用いずに封止構造３を実現することも可能である。
【００２７】
また、本実施例では、有機ＥＬ素子部１２は、図７に示したように、透明電極３１、正孔輸送層３２、発光層３３、電極３５で構成した。有機層（正孔輸送層３２、発光層３３）としては、低分子系有機ＥＬ層、高分子系有機ＥＬ層等があるが、これらの何れも使用できる。これらの中で、製造の容易さ、動作電圧の低さ等の点で、低分子系有機ＥＬ層がより好ましい。有機ＥＬ素子部１２の構成としては、例えば（１）陽極／発光層／陰極、（２）陽極／正孔輸送層／発光層／電子輸送層／陰極、（３）陽極／発光層／電子輸送層／陰極、（４）陽極／正孔輸送層／発光層／陰極、等の各種構造のものがある。本発明においては、従来のこれら各種構成をそのまま採用できる。
【００２８】
陽極（電極３１）は、インジウム錫オキサイド（ＩＴＯ）等の導電性透明材料で構成できる。電極３１の厚みは５０〜６００ｎｍが好ましい。本実施例では、１５０ｎｍのインジウム錫オキサイド（ＩＴＯ）を用いた。正孔輸送層は、α−ＮＰＤ（α−ナフチルフェニルジアミン）等で構成することができる。正孔輸送層の厚みは５〜４５ｎｍが好ましく、１０〜４０ｎｍがより好ましい。本実施例では、５０ｎｍのα−ＮＰＤを用いた。発光層は、トリス（８−キノリノラト）アルミニウム錯体（Ａｌｑ３）等で構成することができる。発光層の厚みは５〜４５ｎｍが好ましく、１０〜４０ｎｍがより好ましい。本実施例では、５０ｎｍ形成した。
【００２９】
陰極（電極３５）としては、第一陰極層と第二陰極層との二層構造で構成することができる。第一陰極層はフッ化リチウム（ＬｉＦ）で構成でき、厚みは０．１〜２ｎｍが好ましい。第二陰極層はアルミニウムが好ましい。その厚みは５〜２０ｎｍが好ましい。本実施例では、第一陰極層として０．５ｎｍ厚のフッ化リチウム（ＬｉＦ）を、第二陰極層として１５ｎｍ厚のアルミニウムを用いた。
【００３０】
上述した各層自体は当業者に公知のもので、スパッタ、真空蒸着法等の当業者に周知の方法により形成できる。
【００３１】
上述した詳細構成によれば、有機ＥＬ素子部１２の透明電極３１と電極３５間に電圧を印加することにより、有機ＥＬ素子部１２は発光し、第一の偏光層４を介して緑色の偏光ＥＬ光２１７、及び、第二の偏光層５を介して緑色の偏光ＥＬ光２１６をそれぞれ取出すことができる。また、本実施例では発光層３３にＡｌｑ３を用いたが、カラー表示を行う場合には、例えば発光層に適当な色素をドーピングして用いられる。また、発光層を基板上にマトリクス状に形成し、単純マトリクス駆動やＴＦＴ素子と組み合わせたアクティブマトリクス駆動を行うことが可能なことは言うまでもない。
【００３２】
（実施例２）
本実施例の有機ＥＬ装置の概略断面を図２に示す。尚、有機ＥＬセル１０の説明については、実施例１と重複する部分は省略した。図示するように、有機ＥＬセル１０を挟むように第一の偏光層４と第二の偏光層５が設けられ、さらに、有機ＥＬセル１０と第一の偏光層４との間に第一の光学位相差層７（リタデーション：Δｎ１ｄ１、Δｎ：光学異方性、ｄ：厚さ）、及び、有機ＥＬセル１０と前記第二の偏光層５との間に第二の光学位相差層６（リタデーション：Δｎ２ｄ２）が設けられている。そして、第一の偏光層４と第二の偏光層５の透過軸は平行であり、第一の光学位相差層７（Δｎ１ｄ１）と第二の光学位相差層６（Δｎ２ｄ２）の光学異方性の遅相軸は平行で、かつこの遅相軸と第一の偏光層の透過軸との角度が外光を遮光するように設定されており、さらに、４００ｎｍ〜７００ｎｍの波長λの光に対してΔｎ１ｄ１及びΔｎ２ｄ２の値が、以下の式を満たしている。
【００３３】
Δｎ１ｄ１／λ＝０．２５＋ｍ／２±０．０５（ｍ＝０、１、２、・・・）
Δｎ２ｄ２／λ＝０．２５＋ｍ／２±０．０５（ｍ＝０、１、２、・・・）
なお、本実施例では、光学位相差層としてポリカーカーボネート製の延伸フィルムを用いた。また、光学位相差層の光学異方性の遅相軸を、第一の偏光層の透過軸と４５°の角度になるように設定した。に配置した。
【００３４】
このような構成の有機ＥＬ装置の表示原理を図９に基づいて説明する。
【００３５】
有機ＥＬセル１０の発光部１０１で発光したＥＬ光７０は、第二の光学位相差層６を透過してＥＬ光７１となり、第二の偏光層５を透過することにより偏光ＥＬ光２１８として観測者２００が視認できる。一方、有機ＥＬセル１０の発光部１０１で発光したＥＬ光８０は第一の光学位相差層７を透過してＥＬ光８１となり、第一の偏光層４を透過することにより偏光ＥＬ光２１９として外部に放射される。また、第二の偏光層５側から入射する外光５０は、透過軸Ｌ１を有する第二の偏光層５を透過して直線偏光５１となる。次いで、遅相軸Ｌ２を有する第二の光学位相差層６を透過することにより、例えば右回りの円偏光５２となり、有機ＥＬパネル１０を透過する右回りの円偏光５３と有機ＥＬパネル１０の表面や内部電極で反射される左回りの円偏光５５に分離される。次いで、右回りの円偏光５３は遅相軸Ｌ３を有する第一の光学位相差層７を通過することにより直線偏光５４になり、透過軸Ｌ４を有する第一の偏光層４により吸収される。また、左回りの円偏光５５は第一の光学位相差層６を通過して直線偏光５６となり、透過軸Ｌ１を有する第二の偏光層５に吸収される。ここでは、時計回りの円偏光を右回り、反時計回りの円偏光を左回りと定義する。一方、円偏光５２が左回りの場合は、有機ＥＬパネル１０を透過する左回りの円偏光と有機ＥＬパネルの表面や内部電極で反射される右回りの円偏光に分離される。次いで左回りの円偏光は遅相軸Ｌ３を有する第一の光学位相差層７を通過して直線偏光５４になり、透過軸Ｌ４を有する第一の偏光層４により吸収される。また、右回りの円偏光は第二の光学位相差層６を通過して直線偏光５６となり、透過軸Ｌ１を有する第二の偏光層５に吸収される。
【００３６】
また、第一の偏光層４側から入射する外光６０は透過軸Ｌ４を有する第一の偏光層４を透過して直線偏光６１となる。次いで、遅相軸Ｌ３を有する第一の光学位相差層７を透過して例えば左回りの円偏光６２となり、有機ＥＬパネル１０を透過する左回りの円偏光６３と有機ＥＬパネル１０の表面や内部電極で反射される右回りの円偏光６５に分離される。次いで左回りの円偏光６３は遅相軸Ｌ２を有する第二の光学位相差層６を通過して直線偏光６４になり、透過軸Ｌ１を有する第二の偏光層５により吸収される。また、右回りの円偏光６５は第一の光学位相差層７を通過して直線偏光６６に戻され、透過軸Ｌ４を有する第一の偏光層４に吸収される。一方、円偏光６２が右回りの場合は、有機ＥＬパネル１０を透過する右回りの円偏光と有機ＥＬパネル１０の表面や内部電極で反射される左回りの円偏光に分離される。次いで、右回りの円偏光は遅相軸Ｌ２を有する第二の光学位相差層６を通過して直線偏光６４になり、透過軸Ｌ１を有する第二の偏光層５により吸収される。また、左回りの円偏光は第一の光学位相差層７を通過して直線偏光６６となり、透過軸Ｌ４を有する第一の偏光層４に吸収される。
【００３７】
上述のように、観測者２００は黒背景に偏光ＥＬ光２１８のみを視認することになり、極めて高コントラストの有機ＥＬ表示装置が得られる。また、観測者が反対側から偏光ＥＬ光２１９を観測する場合も同様の効果が得られる。
【００３８】
ここで、本実施例では、光学位相差層には日東電工製高分子一軸延伸フィルムを用いたが、新日本石油化学製高分子液晶フィルムを用いても同様の効果が得られる。
【００３９】
また、図１で示した実施例の有機ＥＬ装置と図２で示した実施例の有機ＥＬ装置は、品質とコストを考慮し必要に応じて選択できる。
【００４０】
（実施例３）
本実施例の有機ＥＬ装置の概略断面を図３に示す。尚、上述の各実施例と重複する部分は適宜省略する。図示するように、有機ＥＬセル１０の両側には第一の偏光層４と第二の偏光層が、互いの透過軸が直交するように配置されている。本実施例では、偏光層には偏光板を用いた。さらに、有機ＥＬセル１０の発光領域に対応するように、シャッター２０３を第一の偏光層４の外側に配置した。図３で説明した有機ＥＬ装置を図１２と図１３で示すような折りたたみ式情報機器に応用する場合を例に説明する。情報機器が折りたたまれた状態ではシャッター２０３を開いておき、観測者２００は偏光ＥＬ光２２０を視認できる。また、図１３は図１２で示した携帯情報機器を開いた状態であり、観測者２００は偏光ＥＬ光２２１を視認できるが、偏光ＥＬ光２２０はシャッター２０３に遮断されるため観測者２０１には表示が視認できない。これにより、観測者２００の表示データの機密を保つことができる。
【００４１】
図１４を用いてシャッターの機構を簡単に説明する。有機ＥＬ装置３０３の両面からＥＬ光３０１、３０２が発光し、ＥＬ光３０１とＥＬ光３０２のデータは観測者が視認できるようにプログラム上で切り替わる。シャッターは不透明部３０７と透過部３０６により構成されている。また、シャッターを駆動するためのギヤ３０８が設けられ、小型モーターによりシャッターの開閉を行う。したがって、情報機器の開閉に応じてシャッターの開閉制御を自動的に行うことが可能になる。すなわち、情報機器が開状態になったときにシャッターを閉じ、情報機器が閉状態になったときにシャッターを開くような自動開閉機構を設けることで、機密を保護できる折りたたみ式情報機器が実現できる。また、シャッターに突起部３０８を形成することにより、この突起部３０８を用いてシャッターを手動にて開閉することも可能である。これにより、シャッターの自動開閉機構が故障した場合でも、表示を視認することが可能になる。携帯情報機器の外装ケース３０４には、表示が確認できるように両側に開口部が設けられている。
【００４２】
【発明の効果】
本発明の自発光型表示装置は、自発光素子を挟むように光学層を配置することにより、薄型、高コントラストの両面ディスプレイを実現できる。さらに、片側にシャッターを設けることにより、機密を保護できる折りたたみ式表示装置を実現できる。
【図面の簡単な説明】
【図１】本発明の実施例である有機ＥＬ装置の断面構成を示す概略図である。
【図２】本発明の他の実施例である有機ＥＬ装置の断面構成を示す概略図である。
【図３】本発明の他の実施例である有機ＥＬ装置の断面構成を示す概略図である。
【図４】従来の有機ＥＬ素子を用いて表裏から観察可能な構成の有機ＥＬ装置を示す概略断面図である。
【図５】従来の有機ＥＬ素子を用いて表裏から観察可能な構成の有機ＥＬ装置を示す概略断面図である。
【図６】従来の有機ＥＬ素子の構成の一例を示す説明図である。
【図７】従来の有機ＥＬ素子の構成の一例を示す説明図である。
【図８】従来の有機ＥＬ素子の構成の一例を示す説明図である。
【図９】本発明の実施例の表示原理を示す説明図である。
【図１０】本発明の実施例の表示原理を示す説明図である。
【図１１】従来の有機ＥＬ素子の観察原理を示す説明図である。
【図１２】本発明の有機ＥＬ素子を用いた折りたたみ式携帯情報機器を閉じた状態を示す説明図である。
【図１３】本発明の有機ＥＬ素子を用いた折りたたみ式携帯情報機器を開いた状態を示す説明図である。
【図１４】本発明の有機ＥＬ素子を用いた折りたたみ式携帯情報機器のシャッターの機構を示す説明図である。
【符号の説明】
１　　基板
４　第一の偏光層
５　第二の偏光層
６　第二の光学位相差層
７　第一の光学位相差層
１０　有機ＥＬセル
Ｌ１、Ｌ４、Ｌ６、Ｌ７　透過軸
Ｌ２、Ｌ３　遅相軸または進相軸
１０１　発光部
【図１】
2004095340.tif 000003
【図２】
2004095340.tif 000004
【図３】
2004095340.tif 000005
【図４】
2004095340.tif 000006
【図５】
2004095340.tif 000007
【図６】
2004095340.tif 000008
【図７】
2004095340.tif 000009
【図８】
2004095340.tif 000010
【図９】
2004095340.tif 000011
【図１０】
2004095340.tif 000012
【図１１】
2004095340.tif 000013
【図１２】
2004095340.tif 000014
【図１３】
2004095340.tif 000015
【図１４】
2004095340.tif 000016